(57)【要約】【課題】疑似白色ＬＥＤを使用した場合に、演色性を改善し、かつ、光束制御部材の性能の低下および被照射面上での照度の低下を抑えることができる照明用レンズおよびこれを用いた照明装置を提供すること。【解決手段】照明用レンズ１には、色調整部材を含有し、ＬＥＤ２から出射された光によって励起され、ＬＥＤ２の発光色とは異なる色の光を放射する色調整部１４が設けられる。色調整部１４が設けられる位置は、最大値の光度に対して所定の割合以上の光度の光線である主光線が通過する部分以外であって、主光線以外の光線である副光線が通過する部分である。【選択図】図１
2011204657.tif 000002
【特許請求の範囲】
【請求項１】
発光素子からの出射光が入射され、この入射された光を所望の配光特性を有する光に制御した上で被照射面側に向かって出射させる光束制御部材であって、
前記発光素子に対向して配置され、前記発光素子から出射された光を入射する光入射面と、
前記光入射面から入射した光の進行方向を制御して出射する光制御出射面と、
色調整部材を含有し、前記光入射面から入射した光が照射され、前記発光素子の発光色とは異なる色の光を放射する色調整部と、を有し、
前記色調整部は、前記発光素子から出射された光のうち、最大値の光度に対して所定の割合以上の光度の光線である主光線が通過する部分には配置されず、前記主光線以外の光線である副光線が通過する部分に配置される、
ことを特徴とする光束制御部材。
【請求項２】
前記主光線は、最大値の７０％以上の光度の光線である、ことを特徴とする請求項１記載の光束制御部材。
【請求項３】
前記色調整部材は、蛍光体、顔料および染料から１つ、または複数を選択したものである、ことを特徴とする請求項１または請求項２に記載の光束制御部材。
【請求項４】
前記光制御出射面は、前記発光素子からの出射光束の中心である基準光軸から所定径の範囲に位置する第１の出射面と、前記第１の出射面に連続して径方向外方側に形成される第２の出射面と、を有し、
前記第１の出射面は滑らかな凹曲面形状に形成され、前記第２の出射面は滑らかな凸曲面形状に形成され、前記基準光軸を含む断面において前記第１の出射面と前記第２の出射面との接続部分が変曲点となっており、
前記発光素子の発光面と前記基準光軸との交点である発光点と前記変曲点とを仮想線で結び、前記基準光軸を軸として前記仮想線を回転させて得られる仮想面に対して前記基準光軸とは反対側に前記色調整部が形成される、
ことを特徴とする請求項１乃至請求項３のいずれかに記載の光束制御部材。
【請求項５】
前記光束制御部材は、前記光入射面の外縁部から拡径して前記光制御出射面側へ延びる側面を更に有し、
前記色調整部は、前記光入射面から入射した光のうちの前記光入射面から前記側面へ向かう光の光路内に形成される、
ことを特徴とする請求項１乃至請求項３のいずれかに記載の光束制御部材。
【請求項６】
補色関係にある２色の光の混色によって得られる疑似白色光を出射する発光素子と、
請求項１乃至請求項５のいずれかに記載の光束制御部材と、
を備えることを特徴とする照明装置。
【発明の詳細な説明】
【技術分野】
【０００１】
本発明は、ＬＥＤ（Light Emitting Diode）から出射された光の進行方向を制御する光束制御部材およびこれを用いた照明装置に関する。
【背景技術】
【０００２】
近年、ＬＥＤ（Light Emitting Diode）から出射された光を、光束制御部材としての照明用レンズを通して放射する照明装置が急速に普及してきている。このＬＥＤを用いた照明装置では、光束を要求に合わせて整形するとともに、出射された光の色度を自然色に近い白色光とすることが求められている。
【０００３】
ところが、ＬＥＤは、所定の狭い範囲の波長のみを発光するため、ＬＥＤ単体では、可視光線の全域に渡って連続したスペクトルよって実現される光である本来の白色光を得ることができない。
【０００４】
この問題点を解決する一つの手段として、疑似白色ＬＥＤを用いる方法がある。疑似白色ＬＥＤは、青色発光のＬＥＤチップから出射される青色光と、ＬＥＤチップを覆う封止材料中に含有させた黄色蛍光体を青色光が励起して発生させる黄色の励起光との混色により疑似的に白色光を作り出すものである。
【０００５】
ただし、疑似白色ＬＥＤで作り出された光の発光スペクトルは偏ったものとなるため、疑似白色ＬＥＤを用いた照明装置は、演色性が高くない（赤色や深紅色の発色が悪い）という課題が残る。
【０００６】
そこで、従来から、疑似白色ＬＥＤを用いた照明装置において、演色性を高めるために、色調整部としての色調整用の粒子等を封止材料中に含有させたり、色調整部をＬＥＤとは別体の照明用レンズに設けたりすることにより、ＬＥＤから出射された光を色調整部に通す方法が採られてきた（特許文献１、特許文献２参照）。なお、色調整部とは、赤色蛍光体や緑色蛍光体等の蛍光物質を含有し、ＬＥＤから出射された光によって励起され、ＬＥＤの発光色とは異なる色の光を放射するものや、顔料や染料等の着色材料によりＬＥＤの発光色とは異なる色の光を放射するものである。
【先行技術文献】
【特許文献】
【０００７】
【特許文献１】特開２００９−４３９７２号公報
【特許文献２】特開２００７−３５８８２号公報
【発明の概要】
【発明が解決しようとする課題】
【０００８】
しかしながら、従来技術では、ＬＥＤから出射される光の出射角度によって光の光度が異なることを考慮しておらず、照明用レンズの光度が高い光が通る部分にも色調整部を配置している。このため、従来の照明用レンズを用いた照明装置は、色調整部によって演色性は改善されるものの、光度が高い光が色調整部の蛍光体や顔料等の粒子において散乱、吸収されることにより、光束制御部材としての照明用レンズの性能および被照射面上での照度を著しく低下させてしまう。
【０００９】
本発明は、かかる点に鑑みてなされたものであり、疑似白色ＬＥＤを使用した場合に、演色性を改善し、かつ、光束制御部材の性能の低下および被照射面上での照度の低下を抑えることができる光束制御部材およびこれを用いた照明装置を提供することを目的とする。
【００１０】
更に、本発明は、ＬＥＤから出射される光が白色以外であっても、その発光色を調整し、かつ、光束制御部材の性能低下および被照射面上での照度の低下を抑えることができる光束制御部材およびこれを用いた照明装置を提供することを目的とする。
【課題を解決するための手段】
【００１１】
本発明の光束制御部材は、発光素子からの出射光が入射され、この入射された光を所望の配光特性を有する光に制御した上で被照射面側に向かって出射させる光束制御部材であって、前記発光素子に対向して配置され、前記発光素子から出射された光を入射する光入射面と、前記光入射面から入射した光の進行方向を制御して出射する光制御出射面と、色調整部材を含有し、前記光入射面から入射した光が照射され、前記発光素子の発光色とは異なる色の光を放射する色調整部と、を有し、前記色調整部は、前記発光素子から出射された光のうち、最大値の光度に対して所定の割合以上の光度の光線である主光線が通過する部分には配置されず、前記主光線以外の光線である副光線が通過する部分に配置される、構成を採る。
【００１２】
本発明の照明装置は、補色関係にある２色の光の混色によって得られる疑似白色光を出射する発光素子と、上記光束制御部材と、を備える構成を採る。
【発明の効果】
【００１３】
本発明によれば、発光素子からの出射光の配光特性において相対的に光度が高い光が、色調整部の粒子によって散乱、吸収されることがなく、光束制御部材の光制御機能が活かされた状態で被照射面を照射するので、発光素子から高光度で出射される光の光路内に色調整部が形成される場合に対して、光束制御部材の性能低下および被照射面上での照度低下を抑えることができる。しかも、本発明によれば、相対的に光度が低い光が、色調整部の粒子によって散乱し、ＬＥＤの発光色とは異なる色の光を放射することにより、色調整部が無い場合に対して演色性を改善することができる。
【図面の簡単な説明】
【００１４】
【図１】本発明の実施の形態１に係る照明用レンズおよび照明装置の形状を示す図
【図２】図１の照明用レンズをＬＥＤ側から見た場合の形状を示す図
【図３】図１の照明用レンズを被照射面側から見た場合の形状を示す図
【図４】ＬＥＤの出射光の角度（横軸）と光度（縦軸）との関係を示す図
【図５】本実施の形態に係る照明用レンズ内部の光の散乱に関するシミュレーション結果を示す図
【図６】本実施の形態に係る照明用レンズの効果を実証するために用いた測定器の概要を示す図
【図７】ＬＥＤの出射光の角度（横軸）と被照射面における照度（縦軸）との関係を示す図
【図８】本発明の実施の形態２に係るバリエーション１の照明用レンズを示す図
【図９】本発明の実施の形態２に係るバリエーション２の照明用レンズを示す図
【図１０】本発明の実施の形態２に係るバリエーション３の照明用レンズを示す図
【図１１】本発明の実施の形態２に係るバリエーション３の照明用レンズを示す図
【図１２】本発明の実施の形態２に係るバリエーション３の照明用レンズを示す図
【図１３】本発明の実施の形態２に係るバリエーション４の照明用レンズを示す図
【図１４】本発明の実施の形態２に係るバリエーション５の照明用レンズを示す図
【図１５】本発明の実施の形態２に係るバリエーション６の照明用レンズを示す図
【図１６】本発明の他のバリエーションの照明用レンズを示す図
【発明を実施するための形態】
【００１５】
以下、本発明の実施の形態について、図面を参照して詳細に説明する。
【００１６】
（実施の形態１）
〔照明装置の構成〕
図１は、実施の形態１に係る光束制御部材としての照明用レンズおよび照明装置の形状を示す図である。
【００１７】
図１に示すように、本実施の形態における照明用レンズ１は、発光素子としてのＬＥＤ２に対向配置される。照明用レンズ１およびＬＥＤ２は、基板３に取り付けられる。そして、照明用レンズ１、ＬＥＤ２および基板３により照明装置を構成する。このとき、照明用レンズ１の中心軸と後述のＬＥＤ２の基準光軸Ｌとが一致するように取り付けられる。
【００１８】
ＬＥＤ２は、青色発光のＬＥＤチップから出射される青色光と、ＬＥＤチップを覆う封止材料中に含有させた黄色蛍光体を青色光が励起して発生させる黄色の励起光との混色により疑似的に白色光を出射する疑似白色ＬＥＤであり、出射面２ａの中心から、出射角０°の基準光軸（出射面２ａの面法線方向に向かって出射される光の光軸であって、ＬＥＤ２からの出射光束の中心）Ｌを中心軸とした所定の角度範囲にわたる白色光の光束を出射する。
【００１９】
照明用レンズ１には、ＬＥＤ２から出射された白色光が入射される。照明用レンズ１は、この入射された白色光を所望の配光特性を有するように制御した上で被照射面４側に向かって出射する。なお、照明用レンズ１は、例えば、ＰＭＭＡ（ポリメタクリル酸メチル），ＰＣ（ポリカーボネート），ＥＰ（エポキシ樹脂）等の透明樹脂材料、又は透明なガラスにより形成される。
【００２０】
〔照明用レンズ１の形状および構成〕
図２は、図１の照明用レンズ１をＬＥＤ２側から見た場合の形状を示す図、図３は、図１の照明用レンズ１を被照射面４側から見た場合の形状を示す図である。
【００２１】
図１乃至図３に示すように、照明用レンズ１は、光制御出射面１１と、凹み１２と、裏面１３と、色調整部１４と、鍔部１５と、丸棒状の脚１６と、突起１７と、を有する。
【００２２】
光制御出射面１１は、被照射面４に対向する側に設けられ、照明用レンズ１内部に入射された光を出射する面であり、出射の際に光の出射方向を制御する。
【００２３】
凹み１２は、ＬＥＤ２に対向する位置に設けられ、ＬＥＤ２から出射された光のうち基準光軸Ｌに対して所定の角度の範囲内に出射された光を照明用レンズ１の内部へ入射させる面であり、この面形状によって光が入射する際に照明用レンズ１内における光の伝搬方向を制御することもできる。なお、凹み１２を設けることにより、入射の際に一部反射して入射されなかった光を再び入射させることができる。
【００２４】
裏面１３は、凹み１２の開口縁部から径方向に延在し、基準光軸Ｌに対して所定の角度の範囲外に出射され、凹み１２から入射されなかった光を照明用レンズ１の内部へ入射させる。
【００２５】
色調整部１４は、ＬＥＤ２から出射された光によって励起され、ＬＥＤ２の発光色とは異なる色の光を放射する。なお、色調整部１４は、色調整部材としての赤色系の蛍光体を混ぜ込んだ樹脂を、裏面１３から所定深さの円環状に加工された矩形断面の溝部に配置することにより形成される。色調整部１４の配置の仕方として、従来から知られている二色成形、インサート成形等が挙げられる。あるいは、照明用レンズ１本体とは別体に形成された色調整部１４を、照明用レンズ１の溝部に挿入してもよい。また、赤色系の蛍光体として、マゼンタの蛍光体等が挙げられる。また、蛍光体を混ぜ込む樹脂として、ＰＭＭＡ（ポリメタクリル酸メチル），ＰＣ（ポリカーボネート），ＥＰ（エポキシ樹脂），ＰＤＭＳ（ポリジメチルシロキサン）等、熱可塑性、熱硬化性または光硬化性の透光性樹脂が挙げられる。
【００２６】
鍔部１５は、光制御出射面１１の径方向外方側に突出して略円環状に形成される。脚１６は、鍔部１５の内周面の同心円周上に等間隔で３個形成され、基板３の表面３ａに接着される。突起１７は、鍔部１５から径方向外方側であって、脚１６位置に対応する位置に３個形成され、位置決めを案内するために用いられる。なお、鍔部１５、脚１６、突起１７の形状は、光束制御に大きな影響を与えないように適宜変更される。
【００２７】
基板３に対して位置決めされた状態で、脚１６が基板３の表面３ａに接着されることにより、照明用レンズ１は基板３に取り付けられる。
【００２８】
〔光制御出射面１１の詳細〕
光制御出射面１１は、図１に示すように、鍔部１５よりも上方（被照射面４側）に突出する。
【００２９】
光制御出射面１１は、基準光軸Ｌを中心軸とする所定径の範囲に位置する第１の出射面１１ａと、第１の出射面１１ａに連続して径方向外方側に形成される第２の出射面１１ｂと、第２の出射面１１ｂに連続して径方向外方側に鍔部１５まで形成される第３の出射面１１ｃとからなる。
【００３０】
第１の出射面１１ａは、球の一部を切り取ったような滑らかな凹曲面形状に形成されている。この形状により、第１の出射面１１ａから出射される光線は、効率的に拡げられて被照射面４を照射する。
【００３１】
第２の出射面１１ｂは、上に凸の滑らかな曲面形状であり、第１の出射面１１ａを取り囲む略中空円板形状に形成されている。
【００３２】
第３の出射面１１ｃは、断面がほぼ直線状の傾斜面であり、第２の出射面１１ｂを取り囲む略中空円板形状に形成されている。なお、第３の出射面１１ｃは、照明用レンズ１からの広範囲かつ均一な出射を妨げる形状でなければ曲線状に形成されてもよい。
【００３３】
〔ＬＥＤ２の出射光の角度と光度との関係〕
図４は、ＬＥＤ２の出射光の角度（横軸）と光度（縦軸）との関係を示す図である。図４に示すように、光度は、基準光軸Ｌ（出射角度０°）の方向が最大となり、基準光軸Ｌから離れるほど下がっていく。
【００３４】
本発明は、光度が高い光ほど被照射面における照度に与える影響が大きいことに着目し、最大値の光度に対して所定の割合以上の光度の光線（以下、「主光線」という）が通過する部分には色調整部を配置せず、主光線以外の光線（以下、「副光線」という）が通過する部分に色調整部を配置することを特徴とする。
【００３５】
本実施の形態では、図４に示すように、最大値の７０％以上の光度の光線を「主光線」とする。また、本実施の形態では、主光線は、ＬＥＤ２の出射面２ａから基準光軸Ｌを中心軸として±４０°の範囲内で出射される。
【００３６】
〔散乱シミュレーション〕
図５は、照明用レンズ１内部の光の散乱に関するシミュレーション結果を示す図である。なお、図５では、主光線を実線で示し、副光線を破線で示している。
【００３７】
図５に示すように、本実施の形態の照明用レンズ１では、入射された主光線が、途中で色調整部１４を通過することなく、光制御出射面１１から出射され、被照射面４を照射する。この結果、本実施の形態の照明装置の照度は、照明用レンズ１に色調整部１４が無い場合と比べてあまり変わらなくなる。
【００３８】
なお、光制御出射面１１における、ＬＥＤ２の出射面２ａと基準光軸Ｌとの交点から基準光軸Ｌを中心軸として±４０°の範囲は、光制御出射面１１の第１の出射面１１ａと第２の出射面１１ｂとの境目（凹部と凸部との変曲点部分）とほぼ一致する。
【００３９】
また、主光線は、照明用レンズ１の凹み１２に入射される際に屈折によりその角度がおよそ±４７°の範囲に広がる。
【００４０】
一方、本実施の形態の照明用レンズ１では、入射された副光線の一部が、色調整部１４の粒子によって散乱し、ＬＥＤ２の発光色とは異なる色となって光制御出射面１１から出射される。この結果、本実施の形態の照明装置の演色性は、照明用レンズ１に色調整部１４が無い場合に比べて改善される。
【００４１】
〔演色性と照度の測定結果〕
上記の効果を実証するために、本件の発明者は、図６に示す測定器により、試作した照明用レンズの照度および演色性を測定した。なお、演色性の測定は、図６の３点で行った。
【００４２】
試作した照明用レンズは、色調整部が無いノーマルな第１タイプ、照明用レンズは、単純に着色した第２タイプ、および、図１に示した色調整部を有する第３タイプの３つである。なお、試作した照明用レンズの形状は、すべて図１に示したものと同一である。
【００４３】
測定の結果、照度については、第１タイプを基準とした場合、第２タイプの照度低下は−１９．５％であったのに対し、第３タイプの照度低下は−１１．８％であった。また、演色性については、平均演色評価数（Ｒａ）が、第１タイプでは６８、第２タイプでは７６．６、第３タイプでは７６．３であった。
【００４４】
図７は、ＬＥＤ２の出射光の角度（横軸）とＬＥＤ２から１ｍ離間させた位置における被照射面の照度（縦軸）との関係を示す図である。上記測定結果および図７から明らかなように、本実施の形態に係る照明用レンズは、色調整部が無い場合に比べて照度がやや低下するものの、単純に着色した場合に比べて照度低下を抑えることができる。そして、本実施の形態に係る照明用レンズは、単純に着色した場合とほぼ同等に演色性を改善することができる。
【００４５】
〔実施の形態１の効果〕
以上のように、本実施の形態によれば、相対的に光度が高い光が、色調整部の粒子によって散乱、吸収されることがなく、被照射面を照射するので、色調整部が無い場合に対して被照射面上での照度低下を抑えることができる。しかも、本実施の形態によれば、相対的に光度が低い光が、色調整部の粒子によって散乱し、ＬＥＤの発光色とは異なる色の光を放射することにより、色調整部が無い場合に対して演色性を改善することができる。
【００４６】
（実施の形態２）
実施の形態１では、色調整部を裏面から所定深さの円環状に加工された矩形断面の溝部に流し込むことにより形成する場合について説明したが、本発明はこれに限られず、主光線が通過する部分には色調整部を配置せず、副光線が通過する部分に色調整部を配置すれば、同様の効果を得ることができる。
【００４７】
実施の形態２では、実施の形態１で説明した照明用レンズに対して、色調整部の位置、形状を異ならせたバリエーションについて説明する。
【００４８】
〔バリエーション１〕
図８は、本実施の形態に係るバリエーション１の照明用レンズを示す図である。図８（ａ）は上面図、図８（ｂ）は側面断面図、図８（ｃ）は底面図である。図８に示す照明用レンズ１０１（バリエーション１）は、図１に示した照明用レンズ１に対して、色調整部１４の断面形状を変更したものである。
【００４９】
〔バリエーション２〕
図９は、本実施の形態に係るバリエーション２の照明用レンズを示す図である。図９（ａ）は上面図、図９（ｂ）は側面断面図、図９（ｃ）は底面図である。図９に示す照明用レンズ１０２（バリエーション２）は、図１に示した照明用レンズ１に対して、色調整部１４の断面形状を変更し、さらに円環の一部分に色調整部１４を形成するように変更したものである。
【００５０】
〔バリエーション３〕
図１０から図１２は、本実施の形態に係るバリエーション３の照明用レンズを示す図である。図１０から図１２のそれぞれにおいて、（ａ）は上面図、（ｂ）は側面断面図、（ｃ）は底面図である。図１０に示す照明用レンズ１０３−１（バリエーション３−１）は、裏面１３から所定径の貫通穴を複数開け、その内部に色調整部１４を形成したものである。また、図１１に示す照明用レンズ１０３−２（バリエーション３−２）は、図１０に示した照明用レンズ１０３−１に対して貫通穴の数を変更し、貫通穴の位置を数非対称にしたものである。また、図１２に示す照明用レンズ１０３−３（バリエーション３−３）は、図１０に示した照明用レンズ１０３−１に対して貫通穴の径を不均一にしたものである。
【００５１】
〔バリエーション４〕
図１３は、本実施の形態に係るバリエーション４の照明用レンズを示す図である。図１３（ａ）は上面図、図１３（ｂ）は側面断面図、図１３（ｃ）は底面図である。図１３に示す照明用レンズ１０４（バリエーション４）は、顎部１５（側面）から所定径、所定深さの穴を複数開け、その内部に色調整部１４を形成したものである。
【００５２】
〔バリエーション５〕
図１４は、本実施の形態に係るバリエーション５の照明用レンズを示す図である。図１４（ａ）は上面図、図１４（ｂ）は側面断面図、図１４（ｃ）は底面図である。図１４に示す照明用レンズ１０５（バリエーション５）は、光制御出射面１１（第３の出射面１１ｃ）に色調整部１４を形成したものである。このような色調整部１４は、コーティングや印刷によって形成することができる。
【００５３】
〔バリエーション６〕
図１５は、本実施の形態に係るバリエーション６の照明用レンズを示す図である。図１５（ａ）は上面図、図１５（ｂ）は側面断面図、図１５（ｃ）は底面図である。図１５に示す照明用レンズ１０６（バリエーション６）は、貫通穴と溝の両方を加工し、その内部に色調整部１４を形成したものである。
【００５４】
〔その他〕
本発明では、色調整部１４に含有される色調整部材としての蛍光体の濃度や蛍光体の色を位置によって異ならせても良い。また、本発明では、色調整部材として顔料や染料を用い、これらの濃度や色を位置によって異ならせても良い。更に、本発明では、複数の色調整部材を組み合わせて用いることもできる。例えば、図１において、色調整部１４の裏面１３に近い部分と裏面１３から遠い部分とで蛍光体の濃度を異ならせる、あるいは、図１０において、貫通穴によって蛍光体の色を異ならせる、等が考えられる。
【００５５】
なお、以上の説明は本発明の好適な実施の形態の例証であり、本発明の範囲はこれに限定されることはない。
【００５６】
例えば、本発明は、図１６に示すような、上記の各実施の形態で説明したものとは形状が異なる照明用レンズ１０７にも適用することができる。なお、図１６（ａ）は上面図、図１６（ｂ）は側面断面図、図１６（ｃ）は底面図である。照明用レンズ１０７は、実施の形態１および２の照明用レンズ１、１０１、１０２、１０３、１０４、１０５、１０６とは異なり、入射面１１２の外縁部１１２ａから出射面１１１側に向かって拡径しながら延びる側面１１８を有している。このような照明用レンズ１０７からの出射光のうち最大光度を示す出射方向の光およびそこから所定角度範囲内の光は入射面１１２から側面１１８を経由せず、直接出射面１１１に到達して出射する。所定角度範囲外の光は、入射面１１２から入射した後、側面１１８で全反射され出射面１１１へ到達する。このように側面１１８で全反射された光は、直接出射面１１１へ到達して出射した光の照射範囲と重なるように出射するため、入射面１１２から側面１１８へ向かう光の光路内に色調整部１４を配置することでＬＥＤ２からの出射光の色調整が可能となる。
【産業上の利用可能性】
【００５７】
本発明に係る照明用レンズ、照明装置は、テレビモニタやパーソナルコンピュータのモニタのバックライト、室内表示灯や各種照明などの用途に広く使用することができる。
【符号の説明】
【００５８】
１、１０１、１０２、１０３、１０４、１０５、１０６、１０７  照明用レンズ
２  ＬＥＤ
３  基板
１１  光制御出射面
１２  凹み
１３  裏面
１４  色調整部
【図１】
2011204657.tif 000003
【図２】
2011204657.tif 000004
【図３】
2011204657.tif 000005
【図４】
2011204657.tif 000006
【図５】
2011204657.tif 000007
【図７】
2011204657.tif 000008
【図８】
2011204657.tif 000009
【図９】
2011204657.tif 000010
【図１０】
2011204657.tif 000011
【図１１】
2011204657.tif 000012
【図１２】
2011204657.tif 000013
【図１３】
2011204657.tif 000014
【図１４】
2011204657.tif 000015
【図１５】
2011204657.tif 000016
【図１６】
2011204657.tif 000017
【図６】
2011204657.tif 000018